(57)【要約】【課題】バウンス撮影においてより自然な感じの写真を撮影できるようにする。【解決手段】ディフューザＤＦをクリップオンストロボＳＴの発光部筐体８４に装着した状態において、ストロボＳＴを天井に向けてストロボＳＴを発光させると、ストロボＳＴの閃光は、開口部Ｃ１から天井側に拡散されて天井に到達し、天井を経由したバウンス光が被写体に当たる。また、ストロボＳＴの閃光は、ディフューザＤＦの壁面の内面を乱反射し、この乱反射した光の一部が壁面３Ｆにおける発光部筐体８４の発光面よりも上の部分を透過し、この透過光が被写体に当たる。【選択図】図１
2014102447.tif 000002
【特許請求の範囲】
【請求項１】
照射方向可変型のクリップオンストロボの発光部筐体に装着されるディフューザであって、乳白色の可撓性樹脂を素材とする中空な箱状をなし、内部の空間を挟んで縦幅方向に対向する二面のうち一方の面が第１の開口部として開放され、前記二面のうち他方の面における横幅方向の中央に前記発光部筐体の厚みよりも小さい厚みと前記発光部筐体の横幅よりも大きい横幅とを持った第２の開口部であって前記発光部筐体を挿入する第２の開口部が設けられていることを特徴とするディフューザ。
【請求項２】
前記空間を包囲する複数個の壁面のうち前記第２の開口部を挟んで横幅方向に離間した２つ壁面における前記第２の開口部側の端部に前記第２の開口部内に挿入された発光部筐体を支持する一対の支持部が設けられていることを特徴とする請求項１に記載のディフューザ。
【請求項３】
前記一対の支持部材の各々の先端部は略Ｗ字状をなしていることを特徴とする請求項２に記載のディフューザ。
【請求項４】
前記複数個の壁面は、前記空間を挟んで厚み方向に対面する第１及び第２の壁面と、前記空間を挟んで横幅方向に対面する第３及び第４の壁面であって前記第１及び第２の壁面における横幅方向の端辺と直交する第３及び第４の壁面と、前記第１、第２、及び第３の壁面における前記第２の開口部側の端辺と直交する第５の壁面と、前記第１、第２、及び第４の壁面における前記第２の開口部側の端辺と直交する第６の壁面とからなり、
前記第２、第３、第４、第５、及び第６の壁面の外面が黒く着色されていることを特徴とする請求項３に記載のディフューザ。
【請求項５】
照射方向可変型のクリップオンストロボの発光部筐体に装着される第１のディフューザであって、乳白色の可撓性樹脂を素材とする中空な箱状をなし、内部の空間を挟んで縦幅方向に対向する二面のうち一方の面が第１の開口部として開放され、前記二面のうち他方の面における横幅方向の中央に前記発光部筐体の厚みよりも小さい厚みと前記発光部筐体の横幅よりも大きい横幅とを持った第２の開口部であって前記発光部筐体を挿入する第２の開口部が設けられ、前記空間を包囲する複数個の壁面のうち前記第２の開口部を挟んで横幅方向に離間した２つ壁面における前記第２の開口部側の端部に前記第２の開口部内に挿入された発光部筐体を支持する一対の支持部が設けられている第１のディフューザと、
前記第１のディフューザに装着される第２のディフューザであって、乳白色の可撓性樹脂を素材とする中空な箱状をなし、内部の空間を挟んで縦幅方向に対向する２面のうち一方の面が前記第１のディフューザにおける前記第１の開口部側の端部に嵌合する第３の開口部として開放されている第２のディフューザと
を具備することを特徴とするディフューザセット。
【発明の詳細な説明】
【技術分野】
【０００１】
この発明は、クリップオンストロボに装着されるディフューザに関する。
【背景技術】
【０００２】
バウンス撮影に好適なクリップオンストロボの一つに照射方向可変型と称されるものがある。図５（Ａ）及び図５（Ｂ）は、この種のクリップオンストロボＳＴの構成例を示す図である。クリップオンストロボＳＴの本体部８１の下部には同部８１をカメラのアクセサリーシューに連結する部材であるクリップオンコネクタ８２が設けられている。本体部８１の上部には左右方向に延在する軸８３が設けられている。この軸８３の左右両端には発光部筐体８４の一端をなす脚８５Ｌ及び８５Ｒが回動自在に連結されている。この脚８５Ｌ及び８５Ｒは半円状に湾曲している。また、発光部筐体８４の他端には矩形状の窓８６が設けられている。この窓８６にはフレネルレンズ８７が嵌め込まれている。また、発光部筐体８４内には、キセノン管（Ｘｅ管）及び反射笠等からなる発光部がその光照射方向をフレネルレンズ８７に向けて収められている。このクリップオンストロボＳＴをカメラのアクセサリーシューに搭載した状態において、クリップオンストロボＳＴの発光部筐体８４は、本体部８１に対する傾斜角度を発光部筐体８４の発光部の光軸方向がカメラの撮影レンズの光軸方向と一致する角度（図５（Ａ））と発光部の光軸方向が真上を向く角度（図５（Ｂ））の間の所望の角度となるように調整することができる。この種のクリップオンストロボに関わる技術を開示した文献として、特許文献１がある。
【先行技術文献】
【特許文献】
【０００３】
【特許文献１】特開２００２−７２３０１号公報
【発明の概要】
【発明が解決しようとする課題】
【０００４】
特許文献１にも記載されているように、クリップオンストロボの発光筐体部を天井に向け、ストロボの照射光を天井に当ててそのバウンス光（反射光）を被写体に当てるようにすると、被写体を照らす光が柔らかいものとなり、撮影写真にきつい影が出にくくなる。しかしながら、バウンス光の光質は撮影場所における天井までの高さや天井の色などに依存すため、撮影被写体を照らす光がバウンス光だけであると、被写体のメリハリが無くなって自然な感じが損なわれてしまう場合がある。
【０００５】
本発明は、このような課題に鑑みてなされたものであり、バウンス撮影においてより自然な感じの写真を撮影できるようにすることを目的とする。
【課題を解決するための手段】
【０００６】
上記課題を解決するため、本発明は、照射方向可変型のクリップオンストロボの発光部筐体に装着されるディフューザであって、乳白色の可撓性樹脂を素材とする中空な箱状をなし、内部の空間を挟んで縦幅方向に対向する二面のうち一方の面が第１の開口部として開放され、前記二面のうち他方の面における横幅方向の中央に前記発光部筐体の厚みよりも小さい厚みと前記発光部筐体の横幅よりも大きい横幅とを持った第２の開口部であって前記発光部筐体を挿入する第２の開口部が設けられていることを特徴とするディフューザを提供する。
【０００７】
本発明では、ディフューザをクリップオンストロボの発光部筐体に装着した状態において、ストロボを天井に向けてストロボを発光させると、ストロボの閃光は、第１の開口部から天井側に拡散されて天井に到達し、天井を経由したバウンス光が被写体に当たる。また、ストロボの閃光は、ディフューザの壁面の内面を乱反射し、この乱反射した光が被写体の側を向いた壁面における発光部筐体の発光面（フレネルレンズ）よりも上の部分を透過し、この透過光が被写体に当たる。この透過光は、乳白色の可撓性樹脂を透過した光であるため、バウンス光と同様に柔らかな光質のものとなる。よって、本発明によると、ディフューザの保持位置の上げ下げを通じて被写体を照らす光に占める透過光の割合を簡単に調整することができる。従って、本発明によると、撮影位置における天井の高さ等の撮影環境の如何に拘らず自然な感じの写真を撮影することができる。
【図面の簡単な説明】
【０００８】
【図１】本発明の第１実施形態であるディフューザとこのディフューザが装着されたクリップオンストロボ及びカメラの斜視図である。
【図２】同ディフューザの斜視図である。
【図３】同ディフューザの効果を説明するための図である。
【図４】本発明の第２実施形態であるディフューザセットとこのディフューザセットが装着されたクリップオンストロボ及びカメラの斜視図である。
【図５】ディフューザの構成例を示す図である。
【発明を実施するための形態】
【０００９】
以下、図面を参照しつつ本発明の実施形態について説明する。
＜第１実施形態＞
図１（Ａ）は、本発明の第１実施形態であるディフューザＤＦとこのディフューザＤＦが装着されたクリップオンストロボＳＴ（照射方向可変型クリップオンストロボ）及びカメラＣＭを正面左側から見た斜視図である。図１（Ａ）に示すように、ディフューザＤＦは、クリップオンストロボＳＴの発光部筐体８４に装着される。
【００１０】
図２（Ａ）は、ディフューザＤＦの斜視図である。図２（Ｂ）は、図２（Ａ）のディフューザＤＦを図２（Ａ）の視点と反対側の視点（裏側）から見た斜視図である。図２（Ｃ）は、図２（Ａ）のディフューザＤＦを矢印Ｃ方向に見た斜視図である。ディフューザＤＦは、乳白色の可撓性樹脂（例えば、ポリプロピレン）を素材とし、この樹脂を中空な箱状に成形したものである。
【００１１】
ディフューザＤＦは、発光部筐体８４の縦幅Ｌ１（発光部筐体８４における発光部の光軸方向と同じ方向の幅、図５（Ｂ）参照）と略同じ縦幅Ｌ２（例えば、Ｌ２＝９５ｍｍ）、発光部筐体８４の横幅Ｗ１（発光部筐体８４における回転軸８３と平行で発光部の光軸方向と直交する方向の幅、図５（Ｂ）参照）よりも十分に大きな横幅Ｗ２（例えば、Ｗ２＝１９０ｍｍ）、及び発光部筐体８４の厚さＴ１（発光部筐体８４における回転軸８３及び発光部の光軸方向と直交する方向の厚さ、図５（Ｂ）参照）よりも小さい厚さＴ２（例えば、Ｔ２＝２５ｍｍ）の寸法を有している。
【００１２】
ディフューザＤＦにおける内部の空間ＳＰを挟んで縦幅Ｌ２方向に対向する２面のうち一方の面の全面は開口部Ｃ１（第１の開口部）として開放されている。また、ディフューザＤＦにおける内部の空間ＳＰを挟んで縦幅Ｌ２方向に対向する２面のうち他方の面のほぼ中央には、発光部筐体８４の厚みＴ１よりも小さい厚みＴ２（Ｔ２＝２５ｍｍ）と発光部筐体８４の横幅Ｗ１よりも大きい横幅Ｗ３（例えば、Ｗ３＝１００ｍｍ）とを持った開口部Ｃ２（第２の開口部）が設けられている。ディフューザＤＦをクリップオンストロボＳＴに装着する際は、クリップオンストロボＳＴの発光部筐体８４をこの開口部Ｃ２からディフューザＤＦ内に挿入する。
【００１３】
より詳細に説明すると、ディフューザＤＦにおける内部の空間ＳＰを包囲する外郭は６つの壁面３Ｆ、３Ｂ、３Ｌ、３Ｒ、３ＤＬ、及び３ＤＲからなる。壁面３Ｆ（第１の壁面）及び壁面３Ｂ（第２の壁面）は、同寸法（縦幅Ｌ２及び横幅Ｗ２）の矩形状をなしている。壁面３Ｆ及び３Ｂは、空間ＳＰを挟んで厚みＴ２方向に平行対面している。
【００１４】
壁面３Ｌ（第３の壁面）及び壁面３Ｒ（第４の壁面）は、同寸法（縦幅Ｌ２及び厚さＴ２）の矩形状をなしている。壁面３Ｌ及び３Ｒは、空間ＳＰを挟んで横幅Ｗ２方向に平行対面している。壁面３Ｆにおける横幅Ｗ２方向の両端辺は壁面３Ｌ及び３Ｒにおける厚みＴ２方向の一端辺と直交している。壁面３Ｂにおける横幅Ｗ２方向の両端辺は壁面３Ｌ及び３Ｒにおける厚みＴ２方向の他端辺と直交している。
【００１５】
壁面３ＤＬ（第５の壁面）及び壁面３ＤＲ（第６の壁面）は、同寸法（横幅Ｗ４（Ｗ４＝（Ｗ２−Ｗ３）／２、例えば、Ｗ４＝４５ｍｍ）及び厚さＴ２）の矩形状をなしている。壁面３ＤＬ及び３ＤＲは、開口部Ｃ２を挟んで横幅Ｗ２方向に離間している。壁面３Ｆにおける開口部Ｃ２の側の端辺は、壁面３ＤＬ及び３ＤＲにおける厚みＴ２方向の端辺と直交している。壁面３Ｂにおける開口部Ｃ２の側の端辺は、壁面３ＤＬ及び３ＤＲにおける厚みＴ２方向の端辺と直交している。壁面３Ｌにおける開口部Ｃ２の側の端辺は、壁面３ＤＬにおける横幅Ｗ２方向の端辺と直交している。壁面３Ｒにおける開口部Ｃ２の側の端辺は、壁面３Ｒにおける横幅Ｗ２方向の端辺と直交している。
【００１６】
壁面３ＤＬ及び３ＤＲの各々における開口部Ｃ２側の端部には一対の支持部４Ｌ及び４Ｒが設けられている。支持部４Ｌ及び４Ｒは、開口部Ｃ２内に挿入された発光部筐体８４を横幅Ｗ２方向の両側から支持する役割を果たす。
【００１７】
より詳細に説明すると、支持部４Ｌは、壁面３ＤＬにおける開口部Ｃ２側の端部から開口部Ｃ２に向かって壁面３ＤＬと平行に延在している。支持部４Ｌの先端部は略Ｗ字状になっている。支持部４Ｌの先端部には、僅かな間隔をあけて厚みＴ２方向に離れた２つの突起ＰＬ１、ＰＬ２がある。支持部４Ｒは、壁面３ＤＲにおける開口部Ｃ２側の端部から開口部Ｃ２に向かって壁面３ＤＲと平行に延在している。支持部４Ｒの先端部は略Ｗ字状になっている。支持部４Ｒの先端部には、僅かな間隔をあけて厚みＴ２方向に離れた２つの突起ＰＲ１、ＰＲ２がある。支持部４Ｌの先端部（突起ＰＬ１、ＰＬ２）と支持部４Ｒの先端部（突起ＰＲ１、ＰＲ２）との間の距離は発光部筐体８４の横幅Ｗ１（図５（Ｂ））よりも小さくなっている。支持部４Ｌ及び４Ｒは壁面３Ｆ、３Ｂ、３Ｌ、３Ｒ、３ＤＬ、及び３ＤＲと同じ可撓性樹脂からなり、支持部４Ｌ及び４Ｒの基端は壁面３ＤＬ及び壁面３ＤＲの各々と一体化されている。このため、支持部４Ｌ及び４Ｒの先端部を手指により把持して内部の空間ＳＰの側と反対側の方向に力を加えると、支持部４Ｌ及び４Ｒはその方向に撓（しな）り、支持部４Ｌ及び４Ｒの先端部間の距離が広がる。
【００１８】
図２（Ｄ）は、図２（Ａ）のディフューザＤＦにおける壁面３Ｆを除去したものの斜視図である。ディフューザＤＦの壁面３Ｆ、３Ｂ、３Ｌ、３Ｒ、３ＤＬ、及び３ＤＲの内面（空間ＳＰに臨む面）は乳白色になっている。また、ディフューザＤＦにおける壁面３Ｆ以外の壁面３Ｂ、３Ｌ、３Ｒ、３ＤＬ（支持部４Ｌを含む）、及び３ＤＲ（支持部４Ｒを含む）の外面は黒く着色されている。壁面３Ｂ、３Ｌ、３Ｒ、３ＤＬ、及び３ＤＲの着色は、壁面３Ｂ、３Ｌ、３Ｒ、３ＤＬ、及び３ＤＲの外面に塗料を塗布することにより行ってもよいし、壁面３Ｂ、３Ｌ、３Ｒ、３ＤＬ、及び３ＤＲの外面に黒色の紙やフィルムを貼着することにより行ってもよい。
【００１９】
このディフューザＤＦのクリップオンストロボＳＴへの装着は次のようにして行う。まず、クリップオンストロボＳＴにおける発光部筐体８４の本体部８１に対する傾斜角度を発光部の光軸方向が真上を向く角度（図５（Ｂ）に示す角度）にする。次に、ディフューザＤＦの壁面３Ｆ及び３Ｂにおける開口部Ｃ２に臨む部分を空間ＳＰの外側に撓ませてこの部分における壁面３Ｆ及び３Ｂ間の距離を広げるとともに、支持部４Ｌ及び４Ｒを空間ＳＰの側と反対側に撓ませて支持部４Ｌ及び４Ｒの先端部間の距離を広げる。
【００２０】
次に、ディフューザＤＦの壁面３ＦをカメラＣＭの撮影レンズの光軸方向と同じ方向に向け、ディフューザＤＦの開口部Ｃ２を発光部筐体８４に上方から被せるようにして開口部Ｃ２内に発光部筐体８４を挿入し、ディフューザＤＦにおける壁面３Ｆ及び３Ｂを撓ませていた力と支持部４Ｌ及び４Ｒを撓ませていた力を弱める。
【００２１】
開口部Ｃ２内に発光部筐体８４を挿入した状態において、壁面３Ｆ、壁面３Ｂ、支持部４Ｌ、及び支持部４Ｒを撓ませていた力が弱まると、壁面３Ｆ、壁面３Ｂ、支持部４Ｌ、及び支持部４の撓みを解消する方向の復元力が働き、壁面３Ｆ、壁面３Ｂ、支持部４Ｌの先端部（突起ＰＬ１、ＰＬ２）、支持部４Ｒの先端部（突起ＰＲ１、ＰＲ２）が発光部筐体８４の側壁に弱い摩擦力をもって接する。これの摩擦力の作用により、ディフューザＤＦはその開口部Ｃ２内に発光部筐体８４を挿入したまま発光部筐体８４の周囲に保持される。
【００２２】
ディフューザＤＦが発光部筐体８４の周囲に保持された状態において、ディフューザＤＦを上に押すと、壁面３Ｆ、壁面３Ｂ、支持部４Ｌの先端部、支持部４Ｒの先端部が発光部筐体８４の側壁を上方向に摺動して保持位置が上に動き、ディフューザＤＦを下に押すと、壁面３Ｆ、壁面３Ｂ、支持部４Ｌの先端部、支持部４Ｒの先端部が発光部筐体８４の側壁を下方向に摺動して保持位置が下に動く。
【００２３】
以上が、本実施形態の構成の詳細である。本実施形態によると、次の効果が得られる。
第１に、本実施形態では、ディフューザＤＦを発光部筐体８４に装着した状態において、ストロボＳＴを天井に向けてストロボＳＴを発光させると、ストロボＳＴの閃光は、開口部Ｃ１から天井側に拡散されて天井に到達し、天井を経由したバウンス光が被写体に当たる。また、ストロボＳＴの閃光は、ディフューザＤＦの壁面３Ｆ、３Ｂ、３Ｌ、３Ｒ、３ＤＬ、及び３ＤＲの内面を乱反射し、この乱反射した光が壁面３Ｆにおける発光部筐体８４の発光面（フレネルレンズ）よりも上の部分を透過し、この透過光が被写体に当たる。この透過光は、乳白色の可撓性樹脂を透過した光であるため、バウンス光と同様に柔らかな光質のものとなる。よって、本実施形態によると、ディフューザＤＦの保持位置の上げ下げを通じて被写体を照らす光に占める透過光の割合を簡単に調整することができる。従って、本実施形態によると、撮影位置における天井の高さ等の撮影環境の如何に関わらず自然な感じの写真を撮影することができる。
【００２４】
第２に、本実施形態では、ディフューザＤＦの開口部Ｃ２が横幅Ｗ２方向の中央に設けられている。よって、カメラＣＭを縦位置に構えて撮影を行う場合における自然なライティングをより簡単に行うことができる。図３は、カメラＣＭを縦位置に構えて撮影を行う場合におけるディフューザＤＦの利用の態様を示す図である。周知のように、人物を被写体とする撮影においては、被写体である人物の全身や半身を収める必要があるため、カメラを縦位置に構えることが多い。この場合において、ストロボＳＴの発光部筐体８４の傾斜角度を９０度にして発光部筐体８４の発光面（フレネルレンズ）を被写体に向けると、発光部筐体８４の光は被写体に真横から当たってしまい、被写体に不自然な影ができてしまう。これに対し、本実施形態では、図３に示すように、ストロボＳＴの発光部筐体８４を本体部８１に対して時計回り方向（または半時計回り方向）に９０度回転させて発光部筐体８４の発光面（フレネルレンズ）を天井に向け、発光部筐体８４の先端部に装着したディフューザＤＦを発光部筐体８４に対して時計回り方向（または半時計回り方向）に９０度回転させて壁面３Ｆを被写体に向ける。このようにしてディフューザＤＦを回転させると、ディフューザＤＦの壁面３Ｆ及び３Ｂの間隔が広がり、ディフューザＤＦの壁面３Ｆ及び３Ｂによって発光部筐体８４の横幅Ｗ１方向の両側壁が支持される。また、ディフューザＤＦの支持部４Ｌの先端部（突起ＰＬ１、ＰＬ２）及び支持部４Ｒの先端部（突起ＰＲ１、ＰＲ２）の間隔が縮まり、ディフューザＤＦの支持部４Ｌの先端部（突起ＰＬ１、ＰＬ２）及び支持部４Ｒの先端部（突起ＰＲ１、ＰＲ２）によって発光部筐体８４の厚みＴ１方向の両側壁が支持される。そして、この状態において、ストロボＳＴを発光させると、ディフューザＤＦの発光面である壁面３Ｆから放出された透過光が被写体の上方から被写体に当たる。このため、被写体に不自然な影ができることがなくなり、被写体の写真も自然なものとなる。
【００２５】
第３に、本実施形態では、支持部４Ｌ及び４Ｒの各々の先端部は略Ｗ字状になっており、支持部４Ｌの先端部に２つの突起ＰＬ１、ＰＬ２があり、支持部４Ｒの先端部に２つの突起ＰＲ１、ＰＲ２がある。ここで、照射方向可変型のクリップオンストロボＳＴの中には、発光部筐体８４の横幅Ｗ１方向の両側壁が外側に湾曲した曲面になっているものがある。このようなクリップオンストロボＳＴの発光部筐体８４にディフューザＤＦを装着する場合において、支持部４Ｌ及び４Ｒの各々の先端部が平らになっていると、支持部４Ｌ及び４Ｒの先端部は発光部筐体８４の側壁に一点でのみ接し、ディフューザＤＦを発光部筐体８４の周囲に保持するのに十分な摩擦力を確保し難くなる。これに対し、本実施形態のように、支持部４Ｌ及び４Ｒの各々の先端部が略Ｗ字状になっていると、支持部４Ｌ及び４Ｒの先端部は常に発光部筐体８４の側壁に２点で接する。よって、本実施形態によると、ディフューザＤＦの装着対象の発光部筐体８４の側面が曲面状になっているか否かに関わらず、ディユーザＤＦを発光部筐体８４の周囲に保持するのに十分な摩擦力を確保することができる。
【００２６】
第４に、本実施形態では、ディフューザＤＦにおける壁面３Ｆの除く壁面３Ｂ、３Ｌ、３Ｒ、３ＤＬ、及び３ＤＲの外面が黒く着色されている。周知のように、黒は光を最も吸収し易い色であるため、壁面３Ｂ、３Ｌ、３Ｒ、３ＤＬ、及び３ＤＲを透過した光が黒色の着色部位の外側に漏れることはない。よって、ディフューザＤＦを装着したカメラＣＭにより撮影を行うカメラマンの後方に別のカメラマンが居る場合において、そのカメラマンの絵作りがディフューザＤＦの壁面３Ｂ、３Ｌ、３Ｒ、３ＤＬ、及び３ＤＲから漏れた光により妨げられる、という事態の発生を防ぐことができる。また、カメラＣＭの多くには、被写体を照らす光の明るさをセンサにより検出し、被写体に当たる光の明るさが基準値に達するようにストロボＳＴの閃光の強さを自動調整する機能が搭載されている。本実施形態によると、ストロボＳＴの閃光の拡散方向が壁面３Ｂ、３Ｌ、３Ｒ、３ＤＬ、及び３ＤＲの黒色の着色部位により限定されるため、同じ明るさの光を被写体に当てるのに必要な閃光の強さが黒色の着色のないものよりも小さくて済む。従って、本実施形態によると、この種のカメラＣＭにおけるバッテリの消耗を少なくすることができる。
【００２７】
第５に、本実施形態では、ディフューザＤＦの縦幅Ｌ２がクリップオンストロボＳＴの発光部筐体８４の縦幅Ｌ１と同じになっている。このため、図１（Ｂ）に示すように、ディフューザＤＦの保持位置をディフューザＤＦの開口部Ｃ１とストロボＳＴの発光面（フレネルレンズ）が略面一になるまで下げると、ディフューザＤＦの支持部４Ｌ及び４Ｒの先端部が発光部筐体８４の下端部（脚８５Ｌ及び８５Ｒの下端部）と本体部８１の上端部の間の隙間に嵌まり込む。ディフューザＤＦの支持部４Ｌ及び４Ｒの先端部が発光部筐体８４の下端部と本体部８１の上端部の間の隙間に嵌まり込むと、ディフューザＤＦは本体部８１側に落ち難くなる。よって、本実施形態によると、バウンス光だけを被写体に当てるライティングとバウンス光及び透過光の両方を被写体に当てるライティングを交えた撮影を行う場合におけるディフューザＤＦの保持位置の切換操作を円滑に行うことができる。
【００２８】
＜第２実施形態＞
図４は、本発明の第２実施形態であるディフューザセットＤＦＳとこのディフューザセットＤＦＳが装着されたクリップオンストロボＳＴ（照射方向可変型クリップオンストロボ）及びカメラＣＭを正面左側から見た斜視図である。図４に示すように、このディフューザセットＤＦＳは、２つのディフューザＤＦ及びＤＦ’からなる。ディフューザＤＦは、第１実施形態におけるディフューザＤＦと同じものである。ディフューザＤＦ’は、ディフューザＤＦに装着されるものである。ディフューザＤＦ’は、ディフューザＤＦと同様に、乳白色の可撓性樹脂を素材とする中空な箱状をなしており、内部の空間ＳＰを挟んで縦幅方向に対向する２面のうち一方の面がディフューザＤＦの開口部Ｃ１に嵌合する開口部Ｃ３（第３の開口部）として開放されている。
【００２９】
より詳細に説明すると、ディフューザＤＦ’は、ディフューザＤＦと同じ縦幅Ｌ２、ディフューザＤＦの横幅Ｗ２よりも僅かに大きい横幅Ｗ２’、及びディフューザＤＦの厚さＴ２よりも僅かに大きい厚さＴ２’の寸法を有している。ディフューザＤＦ’の外郭は、厚さＴ２’方向に平行対面する壁面３Ｆ’及び壁面３Ｂ’、横幅Ｗ２’方向に平行対面する壁面３Ｌ’及び壁面３Ｒ’、壁面３Ｆ’、３Ｂ’、３Ｌ’、及び３Ｒ’における開口部Ｃ３と反対側の端辺と直交する壁面３Ｕ’の５つの壁面からなる。ここで、図４では、簡便のため、Ｌ２’、Ｗ２’、及びＴ２’の各寸法線と壁面３Ｂ’及び３Ｒ’の符号の図示を割愛する。ディフューザＤＦ’における壁面３Ｆ’を除く壁面３Ｂ’、３Ｌ’、３Ｒ’、及び３Ｕ’の外面は黒色に着色されている。このディフューザＤＦ’は、開口部Ｃ３をディフューザＤＦの開口部Ｃ１側の部分に被せるようにしてその部分を開口部Ｃ３内に挿入することにより、ディフューザＤＦに装着される。
【００３０】
以上が、本実施形態の構成の詳細である。本実施形態では、ディフューザＤＦにディフューザＤＦ’を連結すると、透過光の発光面積が略２倍になる。よって、本実施形態によると、天上が高すぎるなどの事情によってバウンス光による十分な照明効果が得られない場合であっても、自然な感じの写真を撮影することができる。
【００３１】
以上、本発明の第１及び第２実施形態について説明したが、かかる実施形態に以下の変形を加えてもよい。
（１）上記実施形態における寸法値はあくまで例示に過ぎず、これと異なる寸法値を採用してもよい。
（２）上記実施形態では、支持部４Ｌ及び４Ｒの先端は略Ｗ字状をなしていた。しかし、支持部４Ｌ及び４Ｒの先端部を３つ以上の複数個の突起ができるような凹凸形状にしてもよい。
【００３２】
（３）上記実施形態では、開口部Ｃ２を挟んで横幅Ｗ２方向に離間した２つの壁面３ＤＲ及び３ＤＬにおける開口部Ｃ２側の端部に、開口部Ｃ２内に挿入された発光部筐体８４を支持する一対の支持部４Ｌ及び４Ｒが設けられていた。しかし、この支持部４Ｌ及び４Ｒを設けなくてもよい。開口部Ｃ２の横幅Ｗ３が発光部筐体８４の横幅Ｗ１よりも大きくなっており且つ開口部Ｃ２の厚みＴ２が発光部筐体８４の厚みＴ２よりも小さくなっていれば、支持部４Ｌ及び４Ｒを無くしたとしても、開口部Ｃ２内に挿入された発光部筐体８４は壁面３Ｆ及び３Ｂにおける開口部Ｃ２の上の部分によって挟持される。よって、このような変形例によっても、ディユーザＤＦを発光部筐体８４の周囲に保持することができる。
【符号の説明】
【００３３】
３Ｆ、３Ｂ、３Ｌ、３Ｒ、３ＤＬ、３ＤＲ…壁面、Ｃ１、Ｃ２…開口部、ＤＦ…ディフューザ、ＳＴ…クリップオンストロボ、ＣＭ…カメラ、８１…本体部、８２…クリップオンコネクタ、８３…軸、８４…発光部筐体、８５…脚、８６…窓、８７…フレネルレンズ。
【図１】
2014102447.tif 000003
【図４】
2014102447.tif 000004
【図５】
2014102447.tif 000005
【図２】
2014102447.tif 000006
【図３】
2014102447.tif 000007